(57)【要約】【課題】より好適にストレッチを施すことができる椅子型ストレッチ機を提供する。【解決手段】座部１５は、ストレッチ手段としてのエアバッグ２１，２２の上面側を覆う可撓性のカバー部材１５ｂを備え、カバー部材１５ｂは、その後端部が座部本体１５ａの後部側で固定されるとともに、前端部側が移動自在に構成される。エアバッグ２１，２２の内の第２エアバッグ２２は、カバー部材１５ｂの前端部側に配置される。【選択図】図２
2010172477.tif 000002
【特許請求の範囲】
【請求項１】
座部に着座した使用者に対し、前記座部に内蔵されたストレッチ手段による座部上面の上下動にて前記使用者の所定部位を押し上げてストレッチを行う椅子型ストレッチ機であって、
前記座部は、前記ストレッチ手段の上面側を覆う可撓性のカバー部材を備え、
前記カバー部材は、その後端部が座部本体の後部側で固定されるとともに、前端部側が移動自在に構成されたことを特徴とする椅子型ストレッチ機。
【請求項２】
請求項１に記載の椅子型ストレッチ機において、
前記カバー部材は、硬質の発泡部材から構成されたことを特徴とする椅子型ストレッチ機。
【請求項３】
請求項１又は２に記載の椅子型ストレッチ機において、
前記ストレッチ手段は、膨縮動作可能なエアバッグで構成されたことを特徴とする椅子型ストレッチ機。
【請求項４】
請求項３に記載の椅子型ストレッチ機において、
前記エアバッグは、少なくとも前記カバー部材の前端部側に配置されたことを特徴とする椅子型ストレッチ機。
【請求項５】
請求項３又は４のいずれか一項に記載の椅子型ストレッチ機において、
前記エアバッグは、第１エアバッグと、該第１エアバッグの下方側で前記カバー部材の前端部側に配置される第２エアバッグとで構成されたことを特徴とする椅子型ストレッチ機。
【請求項６】
請求項１〜５のいずれか一項に記載の椅子型ストレッチ機において、
前記座部本体は、硬質の発泡部材を用いて前記使用者の臀部位置が他の位置よりも薄くなるように構成されたことを特徴とする椅子型ストレッチ機。
【請求項７】
請求項１〜６のいずれか一項に記載の椅子型ストレッチ機において、
前記座部本体は、硬質の発泡部材を用いて前記使用者の臀部位置の密度が他の位置の密度よりも低くなるように構成されたことを特徴とする椅子型ストレッチ機。
【請求項８】
請求項１〜７のいずれか一項に記載の椅子型ストレッチ機において、
前記座部の後部には、背もたれ部が設けられるものであり、
前記背もたれ部には、前記座部に着座した前記使用者に対してマッサージを行うマッサージ機構が設けられたことを特徴とする椅子型ストレッチ機。
【発明の詳細な説明】
【技術分野】
【０００１】
本発明は、着座した使用者に対してストレッチを行う椅子型ストレッチ機に関するものである。
【背景技術】
【０００２】
従来、使用者が着座可能な座部に膨縮動作可能なエアバッグ（ストレッチ手段）が設けられ、そのエアバッグの膨縮動作によって使用者の臀部若しくは大腿部をストレッチさせる椅子型ストレッチ機が知られている（例えば、特許文献１参照）。
【先行技術文献】
【特許文献】
【０００３】
【特許文献１】特開２００２−１１９５５８号公報
【発明の概要】
【発明が解決しようとする課題】
【０００４】
ところで、上記のような椅子型ストレッチ機では、製品としての外観品位を高めるべくエアバッグを例えば座部内部に配置し、座部全体を表皮材（カバー部材）にて覆うことで使用者から見えないようにしている。
【０００５】
しかしながら、座部の全体を表皮材で覆うことで、その表皮材にてエアバッグの膨張量が制限される傾向にあったため、ストレッチ効果が低く、より好適なストレッチを施す椅子型ストレッチ機の開発が望まれている。
【０００６】
本発明は、上記課題を解決するためになされたものであって、その目的は、より好適にストレッチを施すことができる椅子型ストレッチ機を提供することにある。
【課題を解決するための手段】
【０００７】
上記課題を解決するために、請求項１に記載の発明は、座部に着座した使用者に対し、前記座部に内蔵されたストレッチ手段による座部上面の上下動にて前記使用者の所定部位を押し上げてストレッチを行う椅子型ストレッチ機であって、前記座部は、前記ストレッチ手段の上面側を覆う可撓性のカバー部材を備え、前記カバー部材は、その後端部が座部本体の後部側で固定されるとともに、前端部側が移動自在に構成されたことをその要旨とする。
【０００８】
この発明では、座部は、ストレッチ手段の上面側を覆う可撓性のカバー部材を備え、カバー部材は、その後端部が座部本体の後部側で固定されるとともに、前端部側が移動自在に構成される。このため、ストレッチ手段上下動時において、ストレッチ手段の動作が制限されることが抑えられるため、より好適なストレッチを施すことが可能となる。
【０００９】
請求項２に記載の発明は、請求項１に記載の椅子型ストレッチ機において、前記カバー部材は、硬質の発泡部材から構成されたことをその要旨とする。
この発明では、カバー部材は、硬質の発泡部材（例えばウレタン等）から構成される。そのため、使用者の自重に抗してアクチュエータにて押し上げる際に、その当たり感を軽減でき、より好適且つ快適なストレッチを施すことができる。また、例えばアクチュエータを座部の幅方向に複数設けた場合であって、それらの内の一つのアクチュエータを大きく突出させた際に、各アクチュエータ間の段差が埋まるように変形されるため、動作中の違和感を軽減させることが可能となる。
【００１０】
請求項３に記載の発明は、請求項１又は２に記載の椅子型ストレッチ機において、前記ストレッチ手段は、膨縮動作可能なエアバッグで構成されたことをその要旨とする。
この発明では、ストレッチ手段は、上方に向けて膨縮動作可能なエアバッグで構成される。このように、ストレッチ手段をエアバッグで構成することで、エアバッグ膨張時においては使用者に対して柔らかい当たり感を付与でき、またエアバッグを収縮状態とすることで使用者にエアバッグを意識させず良好な座り心地を提供することが可能となる。
【００１１】
請求項４に記載の発明は、請求項３に記載の椅子型ストレッチ機において、前記エアバッグは、少なくとも前記カバー部材の前端部側に配置されたことをその要旨とする。
この発明では、エアバッグは、少なくともカバー部材の前端部側に配置される。そのため、例えばエアバッグを膨張させる場合に、その膨張動作が規制されにくくなり、十分に膨張させて使用者の大腿部等を押し上げるストレッチを施すことができる。また、前端部側が押し上げられることで、使用者の臀部の移動が起こりにくくなり、例えば背もたれ部にマッサージ機構を備えた場合には効果的なマッサージを施すことも可能となる。
【００１２】
請求項５に記載の発明は、請求項３又は４のいずれか一項に記載の椅子型ストレッチ機において、前記エアバッグは、第１エアバッグと、該第１エアバッグの下方側で前記カバー部材の前端部側に配置される第２エアバッグとで構成されたことをその要旨とする。
【００１３】
この発明では、ストレッチ手段としてのエアバッグは、第１エアバッグと、その第１エアバッグの下方側でカバー部材の前端部側に配置される第２エアバッグとで構成される。このため、第２エアバッグの膨縮動作によって使用者の大腿部を押し上げるストレッチを施すことができるとともに、第２エアバッグの膨張動作によって臀部の位置ずれ抑制しつつ第１エアバッグによる膨縮動作による、より好適なストレッチを施すことができる。また、エアバッグを複数設けることで、動作のバリエーションを増やすことができる。
【００１４】
請求項６に記載の発明は、請求項１〜５のいずれか一項に記載の椅子型ストレッチ機において、前記座部本体は、硬質の発泡部材を用いて前記使用者の臀部位置が他の位置よりも薄くなるように構成されたことをその要旨とする。
【００１５】
この発明では、座部本体は、硬質の発泡部材を用いて使用者の臀部位置が他の位置よりも薄くなるように構成される。つまり、座部本体の臀部位置が他の位置よりも薄くなっているため、座部に着座した際に使用者の臀部が落ち込みやすく、本装置使用時における臀部の位置ずれを抑えることが可能となる。
【００１６】
請求項７に記載の発明は、請求項１〜６のいずれか一項に記載の椅子型ストレッチ機において、前記座部本体は、硬質の発泡部材を用いて前記使用者の臀部位置の密度が他の位置の密度よりも低くなるように構成されたことをその要旨とする。
【００１７】
この発明では、座部本体は、硬質の発泡部材を用いて使用者の臀部位置の密度が他の位置の密度よりも低くなるように構成される。つまり、座部本体の臀部位置の部材の密度が他の位置よりも低くなっているため、使用者の自重によって臀部の位置の発泡部材が窪みやすく、本装置使用時における臀部の位置ずれを抑えることが可能となる。
【００１８】
請求項８に記載の発明は、請求項１〜７のいずれか一項に記載の椅子型ストレッチ機において、前記座部の後部には、背もたれ部が設けられるものであり、前記背もたれ部には、着座した前記使用者に対してマッサージを行うマッサージ機構が設けられたことをその要旨とする。
【００１９】
この発明では、背もたれ部には、着座した前記使用者に対してマッサージを行うマッサージ機構が設けられるため、請求項１〜８のいずれか一項に記載の効果に加えて使用者に対してマッサージ効果を付与することが可能となる。
【発明の効果】
【００２０】
本発明によれば、より好適にストレッチを施すことができる椅子型ストレッチ機を提供することができる。
【図面の簡単な説明】
【００２１】
【図１】本実施形態におけるストレッチ機の概略構成図である。
【図２】同上におけるカバー部材及び座部の斜視図である。
【図３】同上におけるカバー部材及び座部の斜視図である。
【図４】（ａ）（ｂ）（ｃ）は、第１及び第２エアバッグの膨張状態及び収縮状態について説明するための説明図である。
【発明を実施するための形態】
【００２２】
以下、本発明を具体化した一実施形態を図面に従って説明する。
図１には、本実施形態の椅子型ストレッチ機１０の概略構成を示す。本実施形態の椅子型ストレッチ機１０には、脚部１１が床面に載置されるとともに、その脚部１１には椅子型ストレッチ機１０の幅方向両端にそれぞれ配置された側壁１２が支持固定されている。この側壁１２の上面における前後両端部には、上方に延びる支持部１３がそれぞれ固定されるとともに、この支持部１３には使用者の腕や肘等を置くためのアーチ状の肘掛け１４が掛け渡されて固定されている。また、左右の側壁１２間には使用者が着座可能な座部１５が固定されるとともに、その座部１５の前方下部には使用者の足乗せのためのオットマン１６が設けられており、座部１５の後部には、着座した使用者が背中をもたれ掛けさせるための背もたれ部１７が傾動可能に設けられている。
【００２３】
座部１５は、図１及び図２に示すように、硬質の発泡部材（例えばウレタン等）からなる座部本体１５ａと、この座部本体１５ａの上面側に配置される硬質の発泡部材（例えばウレタン等）からなるカバー部材１５ｂとで構成されている。座部本体１５ａには、図１及び図２に示すようにその上面にはストレッチ手段としてのエアバッグ２０が複数設けられるとともに、そのエアバッグ２０を覆うようにカバー部材１５ｂが設けられている。尚、座部本体１５ａは、図３に示すように使用者着座時において使用者の臀部が位置すると想定される座部本体１５ａの臀部位置Ｄの厚みＸが他の箇所の厚みＹよりも薄くなるように構成されている。そのため、臀部位置Ｄが座部本体１５ａの他の箇所よりも窪みやすく、座部１５に着座した使用者の臀部の位置ずれを抑制することができる。
【００２４】
エアバッグ２０は、図示しないエア給排装置によって上下方向に膨縮動作可能であり、座部１５の後端部側から前端部側にかけて配置される第１エアバッグ２１と、座部本体１５ａの前端部側で前記第１エアバッグ２１の下側（座部本体１５ａ側）に配置される第２エアバッグ２２とで構成されている。尚、エアバッグ２１，２２の表面は、使用者の施療部位を押圧する押圧部位Ｐの変位を大きくするべく蛇腹形状となる蛇腹部２３が形成されており、そのため前記エア給排装置による空気供給時にその蛇腹状の蛇腹部２３及び押圧部位Ｐが膨張動作しやすくなっている。
【００２５】
また、第１エアバッグ２１は座部本体１５ａの幅方向中心より左側に配置される左側エアバッグ２１ａと、座部本体１５ａの幅方向中心より右側に配置される右側エアバッグ２１ｂとを備え、それぞれのエアバッグ２１ａ，２１ｂが独立して膨縮動作可能に構成されている。また、第２エアバッグ２２は座部本体１５ａの幅方向中心より左側に配置される左側エアバッグ２２ａと、座部本体１５ａの幅方向中心より右側に配置される右側エアバッグ２２ｂとを備え、各エアバッグ２２ａ，２２ｂが同調して膨縮動作可能に構成されている。
【００２６】
カバー部材１５ｂは、その後端部が前記座部本体１５ａの後端部と固定され、前端部が移動自在とされるとともに、前記エアバッグ２１，２２及び座部本体１５ａの上面を覆うように設けられている。
【００２７】
また、本実施形態の椅子型ストレッチ機１０の背もたれ部１７は、前面が開口された硬質樹脂材料からなる図示しない本体ケース内に、背もたれ部１７の上下方向に沿って図示しないガイドレールが設けられ、このガイドレールに沿って上下方向にマッサージ機構３０が組み付けられている。このマッサージ機構３０には、図示しない各種駆動モータが備えられており、これら各種駆動モータの駆動によってマッサージ機構３０の上下動や、該マッサージ機構３０に備えられる一対の施療子３０ａによる所定の施療動作が行われるようになっている。
【００２８】
上記のように構成された椅子型ストレッチ機１０では、図示しないエア給排装置を制御して、図４（ｂ）に示すように第１エアバッグ２１のみの膨縮動作や、図４（ｃ）に示すように第２エアバッグ２２のみの膨縮動作等の各種の膨縮動作の組合せによって使用者にストレッチを施すようになっている。その一例としては、図示しないエア給排装置を制御して、例えば第１エアバッグ２１の左側エアバッグ２１ａを先ず膨張させてカバー部材１５ｂを押し上げ、その膨張状態を所定時間（例えば５秒〜１０秒）保持する。次いで、左側エアバッグ２１ａを収縮させるとともに第１エアバッグ２１の右側エアバッグ２１ｂを膨張させてカバー部材１５ｂを押し上げ、その膨張状態を所定時間（例えば５秒〜１０秒）保持する。このように、左側エアバッグ２１ａ及び右側エアバッグ２１ｂを交互に膨縮動作させることで、使用者に対して捻りのストレッチ動作を施すことができる。
【００２９】
また、上記ストレッチ動作において、カバー部材１５ｂの後端部が座部本体１５ａの後端部と固定されるとともにカバー部材１５ｂの前端部が移動自在とされているため、エアバッグ２１，２２の膨張動作を制限されることが抑えられ、好適なストレッチを施すことができる。また、例えば、上記ストレッチ動作において、第２エアバッグ２２の左側エアバッグ２２ａ及び右側エアバッグ２２ｂを常時膨張させることで、図４（ｃ）に示すようにカバー部材１５ｂの前端部側が持ち上がり、使用者の臀部側（カバー部材１５ｂ及び座部本体１５ａの後端部側）が相対的に低くなるため、臀部の前方方向への位置ずれを抑えることが可能となる。このような状態において、前記マッサージ機構３０の施療子３０ａによって例えば使用者の腰部付近を施療する場合に、施療子３０ａの当たり心地が強くなり、好適なマッサージ（施療）を行うことが可能となる。
【００３０】
また、カバー部材１５ｂが硬質の発泡部材で構成されているため、特に上述の様に交互に膨縮動作を行う場合は、
次に、本実施形態の特徴的な作用効果を記載する。
【００３１】
（１）座部１５は、ストレッチ手段としてのエアバッグ２１，２２の上面側を覆う可撓性のカバー部材１５ｂを備え、カバー部材１５ｂは、その後端部が座部本体１５ａの後部側で固定されるとともに、前端部側が移動自在に構成される。このため、ストレッチ手段上下動時であるエアバッグ２１，２２の膨縮動作時において、エアバッグ２１，２２の膨縮動作が制限されることが抑えられるため、より好適なストレッチを施すことが可能となる。
【００３２】
（２）カバー部材１５ｂは、硬質の発泡部材（例えばウレタン等）から構成される。そのため、使用者の自重に抗してエアバッグ２１，２２にて押し上げる際に、その当たり感を軽減でき、より好適且つ快適なストレッチを施すことができる。また、エアバッグ２１を座部本体１５ａの幅方向に複数（左側エアバッグ２１ａ及び右側エアバッグ２１ｂを）設けており、それらの内の一つのエアバッグ２１ａ，２１ｂを大きく突出させた際に、カバー部材１５ｂが各エアバッグ２１ａ，２１ｂ間の段差が埋まるように変形されるため、動作中の違和感を軽減させることが可能となる。
【００３３】
（３）膨縮動作可能なエアバッグ２１，２２にてストレッチ手段が構成される。このような構成とすることで、エアバッグ２１，２２膨張動作時においては使用者に対して柔らかい当たり感を付与でき、またエアバッグ２１，２２を収縮状態とすることで使用者にエアバッグ２１，２２を意識させず良好な座り心地を提供することが可能となる。
【００３４】
（４）エアバッグ２１，２２の内の第２エアバッグ２２は、カバー部材１５ｂの前端部側に配置される。そのため、例えば第２エアバッグ２２を膨張動作させる場合に、その膨張動作が規制（制限）されにくくなり、十分に膨張させて使用者の大腿部等を押し上げるストレッチを施すことができる。また、カバー部材１５ｂの前端部側が押し上げられることで、使用者の臀部の移動が起こりにくくなり、背もたれ部１７にマッサージ機構３０を備えた場合には、マッサージ機構３０による施療子３０ａが使用者の背部を押圧して効果的なマッサージを施すことも可能となる。
【００３５】
（５）第１エアバッグ２１と、その第１エアバッグ２１の下方側でカバー部材１５ｂの前端部側に配置される第２エアバッグ２２とでストレッチ手段が構成される。このため、第２エアバッグ２２の膨縮動作によって使用者の大腿部を押し上げるストレッチを施すことができるとともに、第２エアバッグ２２の膨張動作によって臀部の位置ずれ抑制しつつ第１エアバッグ２１による膨縮動作にて、より好適なストレッチを施すことができる。また、エアバッグ２１，２２を複数設けることで、動作のバリエーションを増やすことができる。
【００３６】
（６）座部本体１５ａは、例えばウレタン等からなる硬質の発泡部材を用いて使用者の臀部位置Ｄが他の位置よりも薄くなるように構成される。つまり、座部本体１５ａの臀部位置Ｄが他の位置よりも薄くなっているため、座部本体１５ａに着座した際に使用者の臀部が落ち込みやすく、本装置１０使用時における臀部の位置ずれを抑えることが可能となる。
【００３７】
尚、本発明の実施形態は、以下のように変更してもよい。
・上記実施形態では、使用者の臀部が座部１５に落ち込みやすくするために、使用者着座時において使用者の臀部が位置すると想定される座部本体１５ａの臀部位置Ｄの厚みＸが、座部本体１５ａの他の箇所の厚みＹよりも薄くなるように構成したが、これに限らない。例えば臀部位置Ｄの厚みＸと他の位置の厚みＹが同じであってもよい。また、厚みによって使用者の臀部が座部１５に落ち込みやすくするのではなく、座部本体１５ａを構成する発泡部材の構成密度を、使用者着座時において使用者の臀部が位置すると想定される臀部位置Ｄが他の箇所よりも低くなるように構成してもよい。勿論、座部本体１５ａの厚み及び座部本体１５ａの材料の構成密度の両方で対応してもよい。
【００３８】
・上記実施形態では、座部本体１５ａ及びカバー部材１５ｂを硬質の発泡部材にて構成したが、その他の部材を用いる構成を採用してもよい。また、硬質の発泡部材として、ウレタン以外の材質を用いてもよい。
【００３９】
・上記実施形態では、第１エアバッグ２１及び第２エアバッグ２２を設ける構成としたが、これに限らず、例えばいずれか一方のエアバッグ２１，２２を設ける構成を採用してもよい。また、更に第１エアバッグ２１及び第２エアバッグ２２を配置してもよい。また、座部１５以外の背もたれ部１７やオットマン１６、肘掛け１４等にエアバッグを配置してストレッチやマッサージを施す構成を採用してもよい。
【００４０】
・上記実施形態では、第１エアバッグ２１を構成する左側エアバッグ２１ａ及び右側エアバッグ２１ｂのそれぞれを独立して膨縮動作可能に構成したが、これに限らず、左側エアバッグ２１ａ及び右側エアバッグ２１ｂが同調して膨縮動作可能な構成を採用してもよい。
【００４１】
・上記実施形態では、第２エアバッグ２２を構成する左側エアバッグ２２ａ及び右側エアバッグ２２ｂが同調して膨縮動作可能に構成したが、これに限らず、左側エアバッグ２２ａ及び右側エアバッグ２２ｂのそれぞれが独立して膨縮動作可能な構成を採用してもよい。
【００４２】
・上記実施形態では、エアバッグ２１，２２にてストレッチ手段を構成したが、これに限らない。
・上記実施形態では、特に言及していないが、エアバッグ２１，２２の膨縮動作とマッサージ機構３０の施療子３０ａによる施療動作とを組み合わせて行ってもよい。
【００４３】
・上記実施形態では、施療子３０ａを有するマッサージ機構３０を備える構成としたが、これに限らず、マッサージ機構３０を省略した構成を採用してもよい。
【符号の説明】
【００４４】
１０…椅子型ストレッチ機、１５…座部、１５ａ…座部本体、１５ｂ…カバー部材、１７…背もたれ部、２０…ストレッチ手段としてのエアバッグ、２１…第１エアバッグ、２１ａ…第１エアバッグを構成する左側エアバッグ、２１ｂ…第１エアバッグを構成する右側エアバッグ、２２…第２エアバッグ、２２ａ…第２エアバッグを構成する左側エアバッグ、２２ｂ…第２エアバッグを構成する右側エアバッグ、３０…マッサージ機構、Ｄ…臀部位置。
【図１】
2010172477.tif 000003
【図２】
2010172477.tif 000004
【図３】
2010172477.tif 000005
【図４】
2010172477.tif 000006